(57)【要約】【課題】固有のサイズを具備する少なくとも１つの画像が表示されている表示手段に新たな画像を表示する場合に、表示手段に表示されている画像のうち、新たな画像の表示に必要な空き領域を確保するために削除する画像を容易に選択する。【解決手段】それぞれ固有のサイズを具備する複数の画像を表示する表示部１と、表示部１にて画像が表示されている表示位置の情報を保持する情報保持部２と、表示部１に新たな新規画像を表示する場合に、情報保持部２にて保持された情報に基づいて、表示部１における新規画像の表示位置を算定する表示位置算定部３と、表示位置算定部３にて算定された表示位置に新規画像が表示された場合に表示部１に表示されている画像と新規画像とが重なる部分を検出する重なり検出部４と、重なり検出部４にて検出された部分を表示部１に識別表示する重なり明示部２４とを有する。【選択図】図１
2012243079.tif 000002
【特許請求の範囲】
【請求項１】
それぞれ固有のサイズを具備する複数の画像を表示する表示手段と、
前記表示手段にて前記画像が表示されている表示位置の情報を保持する情報保持手段と、
前記表示手段に新たな新規画像を表示する場合に、前記情報保持手段にて保持された情報に基づいて、前記表示手段における前記新規画像の表示位置を算定する表示位置算定手段と、
前記表示位置算定手段にて算定された表示位置に前記新規画像が表示された場合に前記表示手段に表示されている既表示画像と前記新規画像とが重なる部分を検出する重なり検出手段と、
前記重なり検出手段にて検出された部分を前記表示手段に識別表示する重なり明示手段とを有する表示装置。
【請求項２】
請求項１に記載の表示装置において、
前記表示位置算定手段は、前記表示手段にて画像が表示されていない空き領域のうち最大サイズの空き領域を前記新規画像の表示位置として算定する表示装置。
【請求項３】
請求項１または請求項２に記載の表示装置において、
前記表示位置算定手段にて算定された表示位置に前記新規画像が表示された場合に前記既表示画像と前記新規画像とが重なる場合、当該新規画像に重なる画像の周囲に画像が表示されていない空き領域があれば、当該既表示画像を前記空き領域にずらす元画像移動手段を有する表示装置。
【請求項４】
請求項１乃至３のいずれか１項に記載の表示装置において、
前記表示位置算定手段にて算定された表示位置に前記新規画像が表示された場合に前記新規画像が前記表示手段における表示領域からはみ出す場合、前記新規画像の表示位置を、当該新規画像の前記表示領域からはみ出した量だけ前記表示領域側にずらす新画像移動手段を有し、
前記重なり検出手段は、前記新画像移動手段にてその表示位置がずらされた前記新規画像と前記既表示画像とが重なる部分を検出する表示装置。
【請求項５】
表示手段に画像を表示する表示方法であって、
固有のサイズを具備する少なくとも１つの画像を前記表示手段に表示するステップと、
前記表示手段に新規画像を表示する場合に、前記前記表示手段にて画像が表示されている表示位置の情報に基づいて、前記表示手段における前記新規画像の表示位置を算定するステップと、
前記算定した表示位置に前記新規画像を表示した場合に前記表示手段に表示されている既表示画像と前記新規画像とが重なる部分を検出するステップと、
前記検出した部分を前記表示手段に表示するステップとを有する表示方法。
【請求項６】
表示手段に画像を表示する表示装置に、
固有のサイズを具備する少なくとも１つの画像を前記表示手段に表示する手順と、
前記表示手段に新規画像を表示する場合に、前記前記表示手段にて画像が表示されている表示位置の情報に基づいて、前記表示手段における前記新規画像の表示位置を算定する手順と、
前記算定した表示位置に前記新規画像を表示した場合に前記表示手段に表示されている既表示画像と前記新規画像とが重なる部分を検出する手順と、
前記検出した部分を前記表示手段に表示する手順とを実行させるためのプログラム。
【発明の詳細な説明】
【技術分野】
【０００１】
本発明は、表示手段に画像を表示する表示装置に関し、特に、それぞれ固有のサイズを具備する複数の画像を表示手段に表示する際の技術に関する。
【背景技術】
【０００２】
昨今、タッチ機能を有するスマートフォン等の携帯端末は、カメラやミュージックプレイヤー、ウィジェット等、機能増加に伴い、画面にはサイズが互いに異なる複数のアイコンが貼付されるようになっている。
【０００３】
このような携帯端末においては、新たなアイコンを貼付する場合、そのアイコンのサイズの空き領域が携帯端末の表示部にあるかどうかを判定し、空き領域がない場合は空き領域不足エラーを出力することになる。このように空き領域がない場合に空き領域不足エラーを出力するだけでは、携帯端末のユーザは、新たなアイコンを貼付するためにどれだけの空き領域が必要であり、また、新たなアイコンを貼付した場合に、現在表示されているアイコンのうちどれだけのアイコンが新たなアイコンに重なってしまうかがわからない。一般的に携帯端末のユーザは、上述したような空き領域不足エラーが出力された場合、新たに貼付するアイコンを貼付するために必要となる空き領域を推測し、その空き領域を確保するために現在表示されているアイコンを適宜削除している。
【０００４】
このように、携帯端末のユーザが、新たに貼付するアイコンを貼付するために必要となる空き領域を推測し、その空き領域を確保するために現在表示されているアイコンを適宜削除する場合、必要以上の数のアイコンを削除することとなったり、アイコンを削除する操作を何度も繰り返し行うこととなったりしてしまう。
【０００５】
ここで、新たなアイコンを貼付する場合に、表示手段となる画面を上段から下段へ、また左端から右端へ、貼付したいアイコンのサイズの空き領域があるかどうかをチェックしていき、空き領域があった場合にその空き領域に新たなアイコンを貼付する技術が、特許文献１に開示されている。
【０００６】
また、複数のウィンドウを画面上に同時に表示する情報処理装置において、複数のウィンドウどうしが重なって表示される場合に、重なったウィンドウのサイズを縮小することで、複数のウィンドウを互いに重ならないように表示する技術が、特許文献２に開示されている。
【先行技術文献】
【特許文献】
【０００７】
【特許文献１】特開平８−１６３５５号公報
【特許文献２】特開２００９−３１８６４号公報
【発明の概要】
【発明が解決しようとする課題】
【０００８】
しかしながら、特許文献１に開示された技術においては、新たなアイコンのサイズの空き領域があった場合にその空き領域に新たなアイコンを貼付することができるものの、新たなアイコンのサイズの空き領域がない場合、新たなアイコンを貼付することができないという問題点がある。この問題点は、アイコンを貼付する場合に限らず、画像が表示されている表示手段に新たな画像を表示する場合においても生じるものである。
【０００９】
また、特許文献２に開示された技術においては、ウィンドウサイズを縮小するものであるため、アイコンのように固有のサイズを具備する画像をそのままのサイズで表示することができず、上述したように、表示手段に表示されている画像の中から必要以上の数の画像を削除することとなったり、画像を削除する操作を何度も繰り返し行うこととなったりしてしまうという問題点がある。
【００１０】
本発明は、上述したような技術が有する問題点に鑑みてなされたものであって、固有のサイズを具備する少なくとも１つの画像が表示されている表示手段に新たな画像を表示する場合に、表示手段に表示されている画像のうち、新たな画像の表示に必要な空き領域を確保するために削除する画像を容易に選択することができる表示装置を提供することを目的とする。
【課題を解決するための手段】
【００１１】
上記目的を達成するために本発明は、
それぞれ固有のサイズを具備する複数の画像を表示する表示手段と、
前記表示手段にて前記画像が表示されている表示位置の情報を保持する情報保持手段と、
前記表示手段に新たな新規画像を表示する場合に、前記情報保持手段にて保持された情報に基づいて、前記表示手段における前記新規画像の表示位置を算定する表示位置算定手段と、
前記表示位置算定手段にて算定された表示位置に前記新規画像が表示された場合に前記表示手段に表示されている既表示画像と前記新規画像とが重なる部分を検出する重なり検出手段と、
前記重なり検出手段にて検出された部分を前記表示手段に識別表示する重なり明示手段とを有する。
【００１２】
また、表示手段に画像を表示する表示方法であって、
固有のサイズを具備する少なくとも１つの画像を前記表示手段に表示するステップと、
前記表示手段に新たな新規画像を表示する場合に、前記前記表示手段にて画像が表示されている表示位置の情報に基づいて、前記表示手段における前記新規画像の表示位置を算定するステップと、
前記算定した表示位置に前記新規画像を表示した場合に前記表示手段に表示されている既表示画像と前記新規画像とが重なる部分を検出するステップと、
前記検出した部分を前記表示手段に表示するステップとを有する。
【００１３】
また、表示手段に画像を表示する表示装置に実行させるためのプログラムであって、
固有のサイズを具備する少なくとも１つの画像を前記表示手段に表示する手順と、
前記表示手段に新たな新規画像を表示する場合に、前記前記表示手段にて画像が表示されている表示位置の情報に基づいて、前記表示手段における前記新規画像の表示位置を算定する手順と、
前記算定した表示位置に前記新規画像を表示した場合に前記表示手段に表示されている既表示画像と前記新規画像とが重なる部分を検出する手順と、
前記検出した部分を前記表示手段に表示する手順とを有する。
【発明の効果】
【００１４】
本発明は、以上説明したように構成されているので、固有のサイズを具備する少なくとも１つの画像が表示されている表示手段に新たな画像を表示する場合に、表示手段に表示されている画像のうち、新たな画像の表示に必要な空き領域を確保するために削除する画像を容易に選択することができる。
【図面の簡単な説明】
【００１５】
【図１】本発明の表示装置の概要を示すブロック図である。
【図２】図１に示した表示装置の実施の一形態となる携帯端末の一例を示すブロック図である。
【図３】図２に示した携帯端末の表示部に貼付されるアイコンを追加する際の動作の概要を説明するためのフローチャートである。
【図４】図２に示した携帯端末における重複回避処理を説明するためのフローチャートである。
【図５】図２に示した携帯端末における重複回避処理実行時の表示部の画面遷移図である。
【図６】図２に示した携帯端末における空き領域貼付処理においてアイコンを仮配置した位置が表示部の表示領域からはみ出した場合の処理を説明するためのフローチャートである。
【図７】図２に示した携帯端末におけるアイコンシフト処理実行時の表示部の画面遷移図である。
【発明を実施するための形態】
【００１６】
以下に、本発明の実施の形態について図面を参照して説明する。
【００１７】
図１は、本発明の表示装置の概要を示すブロック図である。
【００１８】
本発明の表示装置は図１に示すように、表示手段となる表示部１と、情報保持手段となる情報保持部２と、表示位置算定手段となる表示位置算定部３と、重なり検出手段となる重なり検出部４と、重なり明示手段となる重なり明示部５とから構成されている。
【００１９】
上記のように構成された表示装置においては、表示部１において、それぞれ固有のサイズを具備する少なくとも１つの画像を表示しており、情報保持部２においては、表示部１にて画像が表示されている表示位置や画像のサイズ等の情報のうち少なくとも表示位置の情報を保持している。そして、表示部１に新たな新規画像を表示する場合、表示位置算定部３において、情報保持部２にて保持された情報に基づいて、表示部１における新規画像の表示位置を算定する。また、重なり検出部４において、表示位置算定部３にて算定された表示位置に新規画像が表示された場合に表示部１に表示されている画像と新規画像とが重なる部分を検出し、重なり明示部５において、重なり検出部４にて検出された部分を表示部１に表示する。
【００２０】
以下に、上述した表示装置について具体的な例を挙げて説明する。
【００２１】
図２は、図１に示した表示装置の実施の一形態となる携帯端末の一例を示すブロック図である。
【００２２】
本形態における携帯端末は図２に示すように、タッチパネル部１０と、制御部２０と、通話をはじめとする通信を行う通信部３１と、通話における音声が入力される音声入力部３２と、音声を出力する音声出力部３３と、記憶部４０とを有している。
【００２３】
タッチパネル部１０は、ユーザ操作を受け付けるタッチ入力部１１と、図１に示した表示部１と同様の機能を有するものであって、待受画面のショートカットアイコン等、タッチ入力部１１にて受け付けられるタッチ操作に基づいて遷移先の機能画面等を表示する表示部１２とから構成されている。
【００２４】
記憶部４０は、表示部１２に表示される画面毎に貼付されたアイコンに応じたタッチデータ４１を記憶しているとともに、このタッチデータ４１に応じた表示を表示部１２に行う際に読み込むデータ等を記憶している。
【００２５】
制御部２０は、タッチ入力部１１にて受け付けられたタッチ操作を認識するタッチ認識部２２と、タッチ認識部２２にて認識されたタッチ操作及び記憶部４０に記憶されたデータに基づいて表示部１２における表示制御を行う表示制御部２１とを有している。
【００２６】
表示制御部２１は、タッチ処理部２３と、重なり明示部２４と、情報保持部２５と、重なり検出部２６と、表示位置算定部２７と、元画像移動手段となる元画像移動部２８と、新画像移動手段となる新画像移動部２９とを有している。
【００２７】
タッチ処理部２３は、タッチ認識部２２にて認識されたタッチ操作に応じたデータを記憶部４０から読み込むことで、表示部１２の表示をタッチ操作で指定された画面へ遷移する等の処理を行う。
【００２８】
情報保持部２５は、図１に示した情報保持部２と同様の機能を有するものであって、表示部１２にてアイコンが表示されている表示位置とアイコンのサイズの情報を保持している。
【００２９】
表示位置算定部２７は、図１に示した表示位置算定部３と同様の機能を有するものであって、表示部１２に新たなアイコンを貼付する場合、情報保持部２５にて保持された情報に基づいて、表示部１２における新たなアイコンの貼付位置を算定する。
【００３０】
重なり検出部２６は、図１に示した重なり検出部４と同様の機能を有するものであって、表示位置算定部２７にて算定された貼付位置に新たなアイコンが貼付された場合に表示部１２に表示されているアイコンと新たなアイコンとが重なる部分を検出する。
【００３１】
重なり明示部２４は、図１に示した重なり明示部５と同様の機能を有するものであって、重なり検出部２６にて検出された部分を表示部１２に識別表示する。
【００３２】
元画像移動部２８は、表示位置算定部２７にて算定された貼付位置に新たなアイコンが貼付された場合に表示部１２に表示されているアイコンと新たなアイコンとが重なる場合、新たなアイコンに重なる画像の周囲にアイコンが表示されていない空き領域があれば、そのアイコンを空き領域にずらす。
【００３３】
新画像移動部２９は、表示位置算定部２７にて算定された貼付位置に新たなアイコンが貼付された場合にその新たなアイコンが表示部１２における表示領域からはみ出す場合、貼付する新たなアイコンの貼付位置を、新たなアイコンが表示領域からはみ出した量だけ表示領域側にずらす。
【００３４】
以下に、上記のように構成された携帯端末におけるアイコンの表示方法について説明する。
【００３５】
まず、上記のように構成された携帯端末の表示部１２に貼付されるアイコンを追加する際の動作の概要を説明する。
【００３６】
図３は、図２に示した携帯端末の表示部１２に貼付されるアイコンを追加する際の動作の概要を説明するためのフローチャートである。
【００３７】
図２に示した携帯端末の表示部１２に少なくとも１つのアイコンが貼付されている状態において、制御部２０にて画面表示処理を開始する（ステップ１）。この画面表示処理においては、制御部２０が、表示部１２に新たに貼付されるアイコンが選択されたかどうかを判断する（ステップ２）。これは例えば、通信部３１を介してダウンロードしたソフトウェアや、記録媒体から読み込まれたソフトウェアのショートカットのアイコンを表示部１２に貼付する操作を制御部２０が受け付けることによって、表示部１２に新たに貼付されるアイコンが選択されたかどうかを判断することになる。
【００３８】
表示部１２に新たに貼付されるために選択されたアイコンがある場合は、制御部２０は、選択されたアイコンのサイズを読み込むことで、選択アイコンサイズ読み込み処理を実行する（ステップ３）。ここで、表示部１２に貼付されるアイコンのサイズは、そのアイコンそれぞれにて固有のものであり、アイコンが選択されることで、そのアイコンとアイコンのサイズとを制御部２０が読み込むことになる。
【００３９】
次に、制御部２０は、表示部１２における空き領域読み込み処理を実行する（ステップ４）。この空き領域読み込み処理においては、制御部２０は、情報保持部２５にて保持されている情報を用いて、選択されたアイコンを貼付するための空き領域があるかどうかを判断する。情報保持部２５においては、表示部１２にてアイコンが表示されている表示位置とアイコンの情報が保持されているため、この情報を用いることで、制御部２０は、表示部１２に新たにアイコンを貼付するための空き領域があるかどうかを判断することができる。
【００４０】
この空き領域読み込み処理において、新たに貼付されるアイコンのサイズ以上の空き領域が表示部１２にある場合は（ステップ５）、制御部２０は、アイコン登録処理を実行し（ステップ６）、選択されたアイコンを表示部１２に貼付する。
【００４１】
一方、空き領域読み込み処理において、選択されたアイコンのサイズ以上の空き領域が表示部１２にない場合は、制御部２０は、本発明の特徴である重複回避処理を実行する（ステップ７）。
【００４２】
このようにして、ステップ２にて選択されたアイコンを貼付して画面表示処理を終了する（ステップ８）。その後、画面表示処理を再度行う場合は、ステップ１に戻って画面表示処理を開始する。また、ステップ２にて選択されたアイコンがない場合は、ステップ１の開始処理から行うことになる。
【００４３】
以下に、重複回避処理について詳細に説明する。
【００４４】
図４は、図２に示した携帯端末における重複回避処理を説明するためのフローチャートである。
【００４５】
上述したように、選択されたアイコンのサイズ以上の空き領域が表示部１２にない場合は、制御部２０は、本発明の特徴である重複回避処理を開始する（ステップ１１）。
【００４６】
重複回避処理においては、まず、制御部２０は、空き領域最大抽出処理を実行する（ステップ１２）。制御部２０は、情報保持部２５において、表示部１２にてアイコンが表示されている表示位置の情報を保持しているため、この情報保持部２５に保持している情報を用いて、表示部１２にアイコンが貼付されていない空き領域のうち最大サイズの空き領域を抽出する。
【００４７】
空き領域がない場合は（ステップ１３）、表示制御部２１は、表示位置算定部２７において、情報保持部２５にて保持された情報に基づいて、アイコンが貼付された範囲の中で表示部１２の左上を基点に、選択されたアイコンの貼付位置を算定し、選択されたアイコンを仮配置する（ステップ１４）。また、ステップ１３にて空き領域がある場合は、表示制御部２１は、表示位置算定部２７において、情報保持部２５にて保持された情報に基づいて、その空き領域の左上を基点に、選択されたアイコンの貼付領域を算定して選択されたアイコンを仮配置し、空き領域貼付処理を実行する（ステップ１５）。この際、アイコンを仮配置した位置が表示部１２の表示領域からはみ出すことがあるが、その場合、表示部１２の表示領域からはみ出したアイコンを表示領域に移動させるアイコンシフト処理を実行することになる。その処理については後述する。
【００４８】
次に、表示部２０は、重複アイコン周囲空き領域抽出処理を実行する（ステップ１６）。
【００４９】
重複アイコン周囲空き領域抽出処理においては、表示制御部２１は、情報保持部２５に保持された情報に基づいて、仮配置したアイコンと重なるアイコンの周囲の空き領域があるかどうかをチェックする（ステップ１７）。そして、仮配置したアイコンと重なるアイコンの周囲の空き領域があり、アイコンをその空き領域にずらすことでアイコンが重なることを回避できる場合は、元画像移動部２８が、仮配置したアイコンと重なるアイコンをその空き領域にずらして仮配置する（ステップ１８）。
【００５０】
この際、表示制御部２１は、重なり検出部２６において、表示部１２に貼付されているアイコンと選択されたアイコンとが重なる部分を検出しており、重なり明示部２４において、重なり検出部２６にて検出された部分を表示部１２に識別表示する（ステップ１９）。
【００５１】
その後、ユーザが図２に示した携帯端末に対して、表示部１２に仮配置された位置に新たなアイコンを貼付するための操作を行うことで、制御部２０がその旨の指示を受け付けると（ステップ２０）、表示制御部２１は、仮配置したアイコンと重なるアイコンを削除する重複アイコン削除処理を実行する（ステップ２１）。
【００５２】
そして、仮配置したアイコンと重なるアイコンが全てなくなった場合（ステップ２２）、重なり明示部２４が上述した識別表示を解除する。表示制御部２１は、元画像移動部２８によって仮配置されたアイコンをその仮配置された位置に貼付して情報保持部２５にその位置を保持するとともに、選択されたアイコンを表示位置算定部２７にて算定されて仮配置された位置に貼付して情報保持部２５にその位置を保持し、重複回避処理を終了する（ステップ２３）。
【００５３】
また、ユーザが、選択したアイコンの貼付位置を他の位置としたいことを希望し、ステップ２０において、選択されたアイコンがドラッグされて他の位置に移動していることをタッチ認識部２２が認識した場合は、重なり明示部２４は、上述したアイコンの識別表示をキャンセルし、表示制御部２１は、選択されたアイコンが移動した新たな位置において、ステップ１６の重複アイコン周囲空き領域抽出処理以下の処理を再度実行することになる。
【００５４】
以下に、上述した一連の処理について具体例を挙げて説明する。
【００５５】
図５は、図２に示した携帯端末における重複回避処理実行時の表示部１２の画面遷移図である。
【００５６】
本例においては、図５（ａ）に示すように、携帯端末の表示部１２の待受画面に、共通のサイズの既表示画像となるショートカットアイコン１００ｂ〜１００ｇと、その横幅がショートカットアイコン１００ｂ〜１００ｇ，１００ｉの半分の既表示画像となるショートカットアイコン１００ｈと、その大きさがショートカットアイコン１００ｂ〜１００ｇよりも大きな固有のサイズを有する既表示画像となるウィジェットアイコン１００ａ，１００ｉと、メニュー画面へ遷移するためのメニューボタン１０２と、アイコンが貼付されていない空き領域１０１ａ，１０１ｂとを有している。
【００５７】
この状態で、新規画像となる貼付アイコン１０３を表示部１２に貼付する場合、図５（ｂ）に示すように、表示位置算定部２７が、情報保持部２５にて保持された情報に基づいて、表示部１２にてアイコン１００ａ〜１００ｉが貼付されていない空き領域１０１ａ，１０１ｂのうち最大のサイズの空き領域１０１ａの左上を基点１０４として、貼付アイコン１０３（図中斜線部）の貼付領域を算定し、貼付アイコン１０３を仮配置する。またこの際、重なり検出部２６は、仮配置された貼付アイコン１０３に重なるアイコン１００ｆ，１００ｇを検出し、また、元画像移動部２８は、このアイコン１００ｆ，１００ｇの周囲に空き領域があるかどうかを判断する。
【００５８】
そして、元画像移動部２８は、アイコン１００ｇをその周囲にある空き領域１０１ｂにずらすことで、図５（ｃ）に示すように、アイコン１００ｇと貼付アイコン１０３とが重なることを回避する。また、重なり明示部２４は、貼付アイコン１０３に重なるアイコン１００ｆと、貼付位置が移動したアイコン１００ｇとを、例えば、破線や色別表示とすることで識別表示する。
【００５９】
その後、表示制御部２１が、貼付アイコン１０３を重なることが識別表示されたアイコン１００ｆを削除する旨を受け付けると、図５（ｄ）に示すように、重なり明示部２４がアイコン１００ｆの識別表示を解除してアイコン１００ｆを削除し、元画像移動部２８によって移動したアイコン１００ｇを移動した位置に貼付して情報保持部２５にその位置を保持するとともに、貼付アイコン１０３を表示位置算定部２７にて算定されて仮配置された位置に貼付して情報保持部２５にその位置を保持する。
【００６０】
以下に、上述した空き領域貼付処理においてアイコンを仮配置した位置が表示部１２の表示領域からはみ出した場合の処理について説明する。
【００６１】
図６は、図２に示した携帯端末における空き領域貼付処理においてアイコンを仮配置した位置が表示部１２の表示領域からはみ出した場合の処理を説明するためのフローチャートである。
【００６２】
上述したように、表示制御部２１は、表示部１２にて空き領域がある場合は、表示位置算定部２７において、情報保持部２５にて保持された情報に基づいて、その空き領域の左上を基点に、選択されたアイコンの貼付領域を算定し、選択されたアイコンを仮配置する、空き領域貼付処理を開始するが、その際、まず、新画像移動部２９は、仮配置したアイコンが表示部１２における表示領域からはみ出しているかどうかをチェックする、アイコンシフト処理を開始する（ステップ３１）。
【００６３】
そして、選択されたアイコンを仮配置する領域が、表示部１２における表示領域からＸ軸方向にはみ出す場合（ステップ３２）、新画像移動部２９は、選択されたアイコンを、表示領域からはみ出した量だけ表示部１２における表示領域側にＸ軸方向にずらし、選択されたアイコンを仮配置する領域が表示部１２における表示領域に入るようにＸ軸位置補正処理を実行する（ステップ３３）。
【００６４】
また、さらに、選択されたアイコンを仮配置する領域が、表示部１２における表示領域からＹ軸方向にはみ出す場合（ステップ３４）、新画像移動部２９は、選択されたアイコンを、表示領域からはみ出した量だけ表示部１２における表示領域側にＹ軸方向にずらし、選択されたアイコンを仮配置する領域が表示部１２における表示領域に入るようにＹ軸位置補正処理を実行する（ステップ３５）。
【００６５】
このように、表示制御手段２１は、選択されたアイコンを仮配置する領域が表示部１２における表示領域に入るようにしてアイコンシフト処理を終了する（ステップ３６）。
【００６６】
その後、表示制御手段２１は、図４に示したステップ１６以降の処理に従って、選択されたアイコンの表示部１２における貼付位置を決定する処理を実行することになる（ステップ３７）。
【００６７】
以下に、空き領域貼付処理においてアイコンを仮配置した位置が表示部１２の表示領域からはみ出した場合の処理について具体例を挙げて説明する。
【００６８】
図７は、図２に示した携帯端末におけるアイコンシフト処理実行時の表示部１２の画面遷移図である。
【００６９】
本例においては、図７（ａ）に示すように、携帯端末の表示部１２の待受画面に、共通のサイズの既表示画像となるショートカットアイコン２００ｂ〜２００ｈと、その大きさがショートカットアイコン２００ｂ〜２００ｈよりも大きな固有のサイズを有する既表示画像となるウィジェットアイコン２００ａと、メニュー画面へ遷移するためのメニューボタン２０２と、アイコンが貼付されていない空き領域２０１とを有している。
【００７０】
この状態で、新規画像となる貼付アイコン２０３を表示部１２に貼付する場合、図７（ｂ）に示すように、まず、表示位置算定部２７が、情報保持部２５にて保持された情報に基づいて、表示部１２にてアイコン２００ａ〜２００ｈが貼付されていない空き領域２０１の左上を基点２０４として、貼付アイコン２０３（図中斜線部）の貼付領域を算定し、貼付アイコン２０３を仮配置する。この際、新画像移動部２９は、仮配置したアイコンが表示部１２における表示領域からはみ出しているかどうかをチェックする。本例においては、図７（ｂ）に示すように、選択されたアイコンを仮配置する領域が、表示部１２における表示領域からＸ軸方向にｘ1だけ、また、Ｙ軸方向にｙ1だけはみ出している。
【００７１】
新画像移動部２９は、図７（ｃ）に示すように、選択されたアイコンを、Ｘ軸方向にｘ1だけ、また、Ｙ軸方向にｙ1だけ表示部１２における表示領域側にずらす。すると、貼付アイコン２０３が表示部１２における表示領域からはみ出さないようになるとともに、アイコン２００ｃ〜２００ｅ，２００ｇ，２００ｈが貼付アイコン２０３と重なるようになる。そして、重なり検出部２６が、貼付アイコン２０３に重なるアイコン２００ｃ〜２００ｅ，２００ｇ，２００ｈを検出し、重なり明示部２４が、貼付アイコン２０３と重なるアイコン２００ｃ〜２００ｅ，２００ｇを、破線や色別で識別表示する。
【００７２】
その後、表示制御部２１が、貼付アイコン２０３を重なることが識別表示されたアイコン２００ｃ〜２００ｅ，２００ｇ，２００ｈを削除する旨を受け付けると、重なり明示部２４がアイコン２００ｃ〜２００ｅ，２００ｇ，２００ｈの識別表示を解除してアイコン２００ｃ〜２００ｅ，２００ｇ，２００ｈを全て削除することにより、貼付アイコン２０３が貼付可能となる。
【００７３】
このように本形態においては、それぞれ固有のサイズを具備するアイコンを表示部１２に貼付する場合、表示部１２に貼付されているアイコンの表示位置に基づいて、新たに貼付するアイコンの位置を算定し、このアイコンと表示部１２に貼付されているアイコンとが重なる部分を識別表示するため、ユーザは、識別表示されたアイコンのみを削除することで、新たに貼付するアイコンと入れ替えることができる。このようにして、表示部１２に、新たに貼付したいアイコンサイズの空き領域がない場合においても、空き領域を有効に活用し、必要以上のアイコンを削除してしまうことを回避することができる。
【００７４】
なお、仮配置したアイコンを識別表示する際に、他の配置で識別表示された重複アイコン数よりも少ない配置、例えば、新たに貼付するアイコンサイズよりも大きなアイコンの有無をチェックし、そのようなアイコンが存在した場合、表示色を変えて識別表示し、表示した候補の中からユーザが選択できるようにしても良い。
【００７５】
なお、本発明の表示装置は、アイコン等の固有のサイズを具備する画像を表示するものであれば、上述したような携帯端末やスマートフォンに限らず、携帯音楽プレーヤーや携帯ゲーム機、タブレットＰＣやノートＰＣ等であってもよい。
【００７６】
また、本発明においては、携帯端末内の処理は上述の専用のハードウェアに基づいて実現されるもの以外に、その機能を実現するためのプログラムを携帯端末にて読取可能な記録媒体に記録し、この記録媒体に記録されたプログラムを携帯端末に読み込ませ、実行するものであっても良い。携帯端末にて読取可能な記録媒体とは、ＩＣカードやメモリカード、あるいは、フロッピーディスク（登録商標）、光磁気ディスク、ＤＶＤ、ＣＤ等の移設可能な記録媒体の他、携帯端末に内蔵されたＨＤＤ等を指す。この記録媒体に記録されたプログラムは、例えば、制御ブロックにて読み込まれ、制御ブロックの制御に基づいて、上述したものと同様の処理が行われる。
【符号の説明】
【００７７】
１，１２    表示部
２，２５    情報保持部
３，２７    表示位置算定部
４，２６    重なり検出部
５，２４    重なり明示部
１０    タッチパネル部
１１    タッチ入力部
２０    制御部
２１    表示制御部
２２    タッチ認識部
２３    タッチ処理部
２８    元画像移動部
２９    新画像移動部
３１    通信部
３２    音声入力部
３３    音声出力部
４０    記憶部
４１    タッチデータ
１００ａ〜１００ｉ，２００ａ〜２００ｈ    アイコン
１０１ａ，１０１ｂ，２０１    空き領域
１０２，２０２    メニューボタン
１０３，２０３    貼付アイコン
１０４，２０４    基点
【図１】
2012243079.tif 000003
【図２】
2012243079.tif 000004
【図３】
2012243079.tif 000005
【図４】
2012243079.tif 000006
【図５】
2012243079.tif 000007
【図６】
2012243079.tif 000008
【図７】
2012243079.tif 000009